(57)【要約】【課題】複数の店舗等が、一体感ある商店街を形成することと、構成部材の点数を少なくして施工性を良好とし、天候等に即応して、随時電動モーターを駆動し、クローズドモール又は大空間のオープンモールを形成可能な開閉屋根装置を提供する。【解決手段】歩道左側又は右側に並設された建築物の歩道側に設置され、構造体と固定屋根と水平移動屋根と水平面において伸縮するパンタグラフ式片持ち梁機構からなる開閉屋根装置において、  第１のパンタグラフ式片持ち梁機構は、その基端部と前記構造体とはヒンジ結合され、その先端部と水平移動屋根の道路側一端部とはヒンジ結合されており、  第２のパンタグラフ式片持ち梁機構は、その基端部と前記構造体とはヒンジ結合され、その先端部と水平移動屋根の建物側一端部とはヒンジ結合されていることを特徴とする開閉屋根装置。【選択図】  図１
2009155921.tif 000002
【特許請求の範囲】
【請求項１】
歩道左側又は右側に並設された建築物の歩道側に設置され、構造体と固定屋根と水平移動屋根と水平面において伸縮するパンタグラフ式片持ち梁機構からなる開閉屋根装置において、
前記構造体は、歩道左側又は右側に並設された建築物の入口に立設された柱によって支持され、構造体と固定屋根は、片持ち梁式に一体結合されてなり、
パンタグラフ式片持ち梁機構は、第１のパンタグラフ式片持ち梁機構と第２のパンタグラフ式片持ち梁機構からなり、歩道に沿って交互に設置され、
第１のパンタグラフ式片持ち梁機構は、その基端部と前記構造体とはヒンジ結合され、その先端部と水平移動屋根の道路側一端部とはヒンジ結合されており、
第２のパンタグラフ式片持ち梁機構は、その基端部と前記構造体とはヒンジ結合され、その先端部と水平移動屋根の建物側一端部とはヒンジ結合されていることを特徴とする開閉屋根装置。   
【請求項２】
前記立設された両側の柱に前記構造体を設けていることを特徴とする、請求項１に記載の開閉屋根装置。
【請求項３】
前記パンタグラフ式片持ち梁機構の基端部、中間部、先端部は、ピンによりヒンジ構造となっていることを特徴とする、請求項１〜２の何れかに記載の開閉屋根装置。
【請求項４】
前記歩道左側又は右側に配設された第１のパンタグラフ式片持ち梁機構の最大伸長時、水平移動屋根の道路側端部は、少なくとも略歩道中心線上に到達すると共に、水平移動屋根の道路側端部同士は隙間の無いように設定されていることを特徴とする、請求項１〜３の何れかに記載の開閉屋根装置。
【請求項５】
第１のパンタグラフ式リンク機構の中間部同士、又は、第２のパンタグラフ式リンク機構の中間部同士は、スプリング材で引張力を付与されており、水平移動屋根は、構造体に設置された電動モーターによって、水平移動させられることを特徴とする、請求項１〜４の何れかに記載の開閉屋根装置。
【請求項６】
前記固定屋根は、ガラス等の透明体からなることを特徴とする、請求項１〜５の何れかに記載の開閉屋根装置。
【請求項７】
前記水平移動屋根、又は固定屋根は、防水、防炎、耐熱加工されていることを特徴とする、請求項１〜６の何れかに記載の開閉屋根装置。
【発明の詳細な説明】
【技術分野】
【０００１】
本発明は、開閉屋根装置に係り、より詳しくは、並設された建築物、例えば複数の店舗が、一体感のある商店街となり、かつ天候等に即応し、随時電動モーターを駆動して、晴天時は、水平移動屋根を建物側に移動させて青空の見える開放的な空間を形成し、雨天時等には、水平移動屋根を道路中央側に移動させて雨等が降りかからないようにする、大空間のオープンモールが形成可能な開閉屋根装置に関する。
【背景技術】
【０００２】
近年来、建築基準法、消防法等により、防災上の見地から商店街等に新規なアーケードの設置は、原則として全面的に禁止されている。したがって、一般的に商店等は、各店舗毎に顧客又は通行人等に対する日除け、雨除け対策として各種の庇、屋根装置等を施工している。従来から、庇、屋根装置等に関する改良案が多数提案され、特に庇又はシート体等が伸縮するものとして以下の発明が開示されている。例えば、特開２００３−３０１５７７の「庇」は、日除け用シートを無端のベルト状にし、内側には開口を形成することで、日光照射位置を支持腕杆の内外側方のいずれか所望方向から照射可能にし、また日除け面積の広狭を調節可能にすることを課題とし、その解決手段として、建築物の外壁から歩道方向へ突き出して並設された支持腕杆と、この隣り合う支持腕杆間に軸架された回転ローラーと、駆動ローラーと、無端のベルト状シートからなり、このベルト状シートは前記駆動ローラーの駆動により前記支持腕杆に沿って前後方向に移動可能に前記回転ローラー及び前記駆動ローラーに懸回され、かつこの懸回可能部分を有して前記ベルト状シートの内側には開口を設けてなることを特徴としている。また、特開平１１−１００９６５の「簡易屋根」は、強風によるあおり等に対しても十分に強固で、かつすっきりとした意匠を構成する簡易屋根を提供することを課題とし、その解決手段として、建物の外壁に固定され、上下方向に延在する縦枠と、基端部を前記縦枠の上端部に固定され前方に延びる垂木と、前記垂木の前端部に固定され左右方向に延在する前枠と、基端部を前記縦枠の下端部に固定されると共に前端部に前記前枠が固定され、前方に延びる妻構造体とを備え、前記妻構造体が斜め前上がりに配設され、且つ前記縦枠、前記垂木、前記前枠および前記妻構造体が、当該前枠を頂部として側面視三角形を為していることを特徴としている。
さらに、特開平１０−３１７６２４の「庇」は、開口部から室内に入る日射しの量を適正にできる庇の提供を課題とし、その解決手段として、開口部の上部に設けられる庇を庇本体と可動体とを有するものとし、庇本体に対し可動体を前後進自在にして可動体の庇本体からの突出により庇張り出し量を大きくできるようにし、また、可動体の先端から日除け部材を垂下自在としたことを特徴としている。
【特許文献１】特開２００３−３０１５７７号公報
【特許文献２】特開平１１−１００９６５号公報
【特許文献３】特開平１０−３１７６２４号公報
【発明の開示】
【発明が解決しようとする課題】
【０００３】
上記特許文献１〜３は、具備している庇又はシート等を伸縮自在とした構造であるが、いずれも庇又はシート等の先端部は、歩道側に前下がり状態で展開されるため、悪天候時には、風雨の吹き込みや雨滴等により、顧客や通行人に不快感を与えている。またアーケードと異なり、顧客や通行人の頭上の空間が狭くなっているので、それらの庇、シート又は屋根等の下を通行する顧客や通行人には、重苦しい雰囲気となり、圧迫感ないし抑圧感を与えている。したがって、上記の特許文献１〜３は、いずれもショッヒンジグモール、コミュニティ広場等には不適切な庇装置、屋根装置であると言わざるを得ない。
【０００４】
本発明が解決しようとする第１の課題は、並設された建築物、例えば複数の店舗が、一体感ある商店街が容易に形成可能な開閉屋根装置の提供で、第２の課題は、その構成部材の点数を少なくして施工性を良好とすると共に、天候等に即応して、随時電動モーターを駆動し、雨天時等には水平移動屋根を道路中央側に水平移動させてクローズドモールを形成し、雨天時には、水平移動屋根を道路側に収納して大空間のオープンモールが形成可能な開閉屋根装置を提供することにある。
【課題を解決するための手段】
【０００５】
本発明者は、上記従来技術が有する各種の問題点に鑑み、鋭意検討を重ね、特に、建築基準法、消防法等による規制のために、商店街等にアーチ状の屋根構造は構築されていなかったことに着目して本発明を完成したもので、その最大の特徴は、歩道左側又は右側に並設された商店街等の建造物の左右両側に配設された水平移動屋根は、それぞれ、第１のパンタグラフ式片持ち梁機構と第２のパンタグラフ式片持ち梁機構によって支えられ、雨天時等では、道路中央側に展張されてアーチを形成してクローズドモールとなり、また当該水平移動屋根は、電動モーター等によって建物側の固定屋根上に収納されて、大空間のオープンモールを形成することにある。
課題を解決するための手段は、本願の特許請求の範囲に記載の各請求項の発明であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊＊＊＊＊
課題を解決するための第１の発明は、請求項１に記載の発明に
課題を解決するための第２の発明は、請求項２に記載の発明に
課題を解決するための第３の発明は、請求項３に記載の発明に
課題を解決するための第４の発明は、請求項４に記載の発明に
課題を解決するための第５の発明は、請求項５に記載の発明に
課題を解決するための第６の発明は、請求項６に記載の発明に
課題を解決するための第７の発明は、請求項７に記載の発明に
対応している。
【０００６】
○課題を解決するための第１の発明（以下、第１の発明ともいう。）は、以下の通りである。
歩道左側又は右側に並設された建築物の歩道側に設置され、構造体と固定屋根と水平移動屋根と水平面において伸縮するパンタグラフ式片持ち梁機構からなる開閉屋根装置において、
前記構造体は、歩道左側又は右側に並設された建築物の入口に立設された柱によって支持され、構造体と固定屋根は、片持ち梁式に一体結合されてなり、
パンタグラフ式片持ち梁機構は、第１のパンタグラフ式片持ち梁機構と第２のパンタグラフ式片持ち梁機構からなり、歩道に沿って交互に設置され、
第１のパンタグラフ式片持ち梁機構は、その基端部と前記構造体とはヒンジ結合され、その先端部と水平移動屋根の道路側一端部とはヒンジ結合されており、
第２のパンタグラフ式片持ち梁機構は、その基端部と前記構造体とはヒンジ結合され、その先端部と水平移動屋根の建物側一端部とはヒンジ結合されていることを特徴とする開閉屋根装置。
【０００７】
○課題を解決するための第２の発明（以下、第２の発明ともいう。）は、以下の通りである。
前記立設された両側の柱に前記構造体を設けていることを特徴とする、請求項１に記載の開閉屋根装置。
【０００８】
○課題を解決するための第３の発明（以下、第３の発明ともいう。）は、以下の通りである。
前記パンタグラフ式片持ち梁機構の基端部、中間部、先端部は、ピンによりヒンジ構造となっていることを特徴とする、請求項１〜２の何れかに記載の開閉屋根装置。
【０００９】
○課題を解決するための第４の発明（以下、第４の発明ともいう。）は、以下の通りである。
前記歩道左側又は右側に配設された第１のパンタグラフ式片持ち梁機構の最大伸長時、水平移動屋根の道路側端部は、少なくとも略歩道中心線上に到達すると共に、水平移動屋根の道路側端部同士は隙間の無いように設定されていることを特徴とする、請求項１〜３の何れかに記載の開閉屋根装置。
【００１０】
○課題を解決するための第５の発明（以下、第５の発明ともいう。）は、以下の通りである。
第１のパンタグラフ式リンク機構の中間部同士、又は、第２のパンタグラフ式リンク機構の中間部同士は、スプリング材で引張力を付与されており、水平移動屋根は、構造体に設置された電動モーターによって、水平移動させられることを特徴とする、請求項１〜４の何れかに記載の開閉屋根装置。
【００１１】
○課題を解決するための第６の発明（以下、第７の発明ともいう。）は、以下の通りである。
前記固定屋根は、ガラス等の透明体からなることを特徴とする、請求項１〜５の何れかに記載の開閉屋根装置。
【００１２】
○課題を解決するための第７の発明（以下、第７の発明ともいう。）は、以下の通りである。
前記水平移動屋根、又は固定屋根は、防水、防炎、耐熱加工されていることを特徴とする、請求項１〜６の何れかに記載の開閉屋根装置。
【発明の効果】
【００１３】
本発明に係る、開閉屋根装置は、上記の特徴的構成により、以下の効果を奏する。
第１の発明によれば、開閉屋根装置を構成する部材は、構造体と固定屋根と水平移動屋根と水平面において伸縮するパンタグラフ式片持ち梁機構からなるので、並設された複数の店舗が、施工態様等を同じにすれば、一体感のあるショッヒンジグモール等が形成されるので、顧客や通行人を増加させることになり、商店街はもちろん、周辺地域の活性化につながる。またその構成部材の点数も少ないので、既存の建築物への施工性が良好となると共に、天候等に即応して、随時電動モーターを駆動し、雨天時等には水平移動屋根を道路側中央側に水平移動させてしてクローズドモールを形成し、晴天時には、水平移動屋根を建物側に水平移動させて固定屋根に収納して大空間のオープンモールが容易に形成できる。
【００１４】
○第２の発明によれば、前記立設された両側の柱に前記構造体を設けており、構造体に設置された電動モーター等により、水平移動屋根を水平移動させることにより、オープンスペースの大きな開放空間を、効率的な構造物を構築できる。
【００１５】
○第３の発明によれば、前記パンタグラフ式片持ち梁機構の基端部、中間部、先端部は、ピンによりヒンジ構造となっていることにより、前記パンタグラフ式片持ち梁機構は水平面内の道路横断方向に伸縮移動をすることにより、晴天時は、水平移動屋根を建物側に移動させて青空の見える開放的な空間を形成し、雨天時等には、水平移動屋根を道路中央側に移動させて雨等が降りかからないようにする、大空間のオープンモールが形成可能な開閉屋根装置を提供することができるという本発明特有の顕著な効果を奏する。
【００１６】
○第４の発明によれば、前記歩道左側又は右側に配設された第１のパンタグラフ式片持ち梁機構の最大伸長時、水平移動屋根の道路側端部は、少なくとも略歩道中心線上に到達すると共に、水平移動屋根の道路側端部同士は隙間の無いように設定されていることにより、雨天時に雨滴が歩道上に滴り落ちることがなく、また、強い日射しを遮蔽することができるので、顧客や通行人はショッヒンジグ等を快適に楽しむことができるという本発明特有の顕著な効果を奏する。
【００１７】
○第５の発明によれば、スプリング材に常に作用する引張力よって、水平移動屋根が、道路中央側に水平移動し、電動モーターを巻き取ることによって、水平移動屋根が、建物側に水平移動することにより、晴天時は、水平移動屋根を建物側に移動させて青空の見える開放的な空間を形成し、雨天時等には、水平移動屋根を道路中央側に移動させて雨等が降りかからないようにする、大空間のオープンモールが形成可能な開閉屋根装置を提供することができるという本発明特有の顕著な効果を奏する。
【００１８】
○第６の発明によれば、前記固定屋根は、ガラス等の透明体からなることにより、晴天時には、固定屋根の下からでも青空を見ることができるという本発明特有の顕著な効果を奏する。
【００１９】
○第７の発明によれば、前記水平移動屋根、又は固定屋根は、防水、防炎、耐熱加工されていることにより、雨天時に雨滴が歩道上に滴り落ちることがなく、また、強い日射しを遮蔽することができるので、顧客や通行人はショッヒンジグ等を快適に楽しむことができるという本発明特有の顕著な効果を奏する。
＊＊＊＊＊＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊＊＊＊＊＊
以下、本願特許請求の範囲、本願明細書において用いる用語の解釈上の疑義を解消するべく、用語の定義又は説明をすることとする。
＊＊＊＊＊＊＊＊＊＊＊＊＊＊＊＊＊＊＊＊＊＊＊＊＊＊＊＊＊＊＊＊＊＊＊＊＊＊＊＊
【００２０】
＜用語の定義又は説明＞
○開閉屋根装置とは、複数の店舗等が、一体感ある商店街を形成することと、構成部材の点数を少なくして施工性を良好とし、天候等に即応して、随時電動モーターを駆動し、クローズドモール又は大空間のオープンモールを形成可能にするように、水平移動屋根を水平方向に移動する装置をいう。
○水平移動屋根とは、晴天時は、建物側に移動させて青空の見える開放的な空間を形成し、雨天時等には、水平移動屋根を道路中央側に移動させることができる屋根をいう。
○固定屋根とは、歩道左側又は右側に並設された建築物の入口に立設された柱によって支持された記構造体によって、構造体と固定屋根は、片持ち梁式に一体結合されてなる移動できない屋根をいう。
○電動モーターは、ワイヤーロープを巻き取る、又は巻き戻すことにより、水平移動屋根を水平に移動させるためのモーターである。
○パンタグラフ式片持ち梁機構とは、菱形の４つのリンク梁からなり、パンタグラフ形式の片持ち梁機構を構成している。
本発明のパンタグラフ式片持ち梁機構には、第１のパンタグラフ式片持ち梁機構と第２のパンタグラフ式片持ち梁機構の二種類が有り、歩道に沿って交互に設置されている。
第１のパンタグラフ式片持ち梁機構は、その基端部と前記構造体とはヒンジ結合され、その先端部と水平移動屋根の道路側一端部とはヒンジ結合されており、
第２のパンタグラフ式片持ち梁機構は、その基端部と前記構造体とはヒンジ結合され、その先端部と水平移動屋根の建物側一端部とはヒンジ結合されている。
○スプリング材とは、スプリング等に蓄えられた引張力を第１のパンタグラフ式片持ち梁機構、又は、第２のパンタグラフ式片持ち梁機構に付与して、水平移動屋根を常に道路中央側に水平移動するようにする手段をいう。
○引張力とは、スプリング材に蓄えられた力をいい、スプリング材には常に引張力が作用しているようにしている。
○ワイヤーロープとは、水平移動屋根と接続されており、構造体に設置された電動モーターによって、水平移動屋根を水平移動させるための手段である。
スプリング材に常に作用する引張力よって、道路中央側に水平移動している水平移動屋根を、電動モーターによりワイヤーロープを巻き取ることによって、水平移動屋根が、建物側に水平移動する。
＜図面の符号の説明＞
○英字の直後の数字１は、「第１の」の意味を表し、英字の直後の数字２は、「第２の」の意味を表す。
○道路を挟んで、左側にある本発明の構成要素等は、無印であるが、道路を挟んで、右側にある本発明の構成要素等は、「’」のサフィクスを付すこととする。
【発明を実施するための最良の形態】
【００２１】
以下、本発明に係る、開閉屋根装置に関する最良の実施形態について、図面を参照しながら説明する。図１は、開閉屋根装置における水平移動屋根を最大に展張した状態を示す正面図、図２は、開閉屋根装置における水平移動屋根を最大に展張した状態を示す平面図、図３は、水平移動屋根を展開又は収納している中途時の正面図、図４は、水平移動屋根を展開又は収納している中途時の平面図、図５は、水平移動屋根を最小に収納した状態を示す正面図、図６は、水平移動屋根を最小に収納した状態を示す平面図である。
図７は、第１のパンタグラフ式片持ち梁機構を示す斜視図である。
【００２２】
＜道路左側の開閉屋根装置について＞
本発明の開閉屋根装置について、道路左側の開閉屋根装置について以下説明する。
道路右側の開閉屋根装置についての説明は、符号の最後に「’」を付せば、道路左側の開閉屋根装置についての説明と全く同じである。
図において、符号と本発明の構成要素等（道路左側）の対応は、以下の通りである。
Ｒ                            開閉屋根装置
１                            柱
２                            構造体
Ｗ                            ワイヤーロープ
ＰＧ                          パンタグラフ式片持ち梁機構
Ｌ１、Ｌ２、Ｌ３、Ｌ４        パンタグラフ式片持ち梁機構の梁部材
ＰＧｂ                        パンタグラフ式片持ち梁機構の基端部
ＰＧｍ                        パンタグラフ式片持ち梁機構の中間部
ＰＧｔ                        パンタグラフ式片持ち梁機構の先端部
Ｓ                            スプリング材
Ｒｍ                          水平移動屋根
Ｒｍｒ                        水平移動屋根の道路側一端部
Ｒｍｂ                        水平移動屋根の道路側一端部
Ｒｆ                          固定屋根
Ｍ                            電動モーター          
Ｄ                            ドラム
Ｐ                            ピン
Ｂ                            建築物
Ｒｄ                            歩道
Ｃ                            歩道の中心線
開閉屋根装置Ｒは、歩道左側又は右側に並設された建築物Ｂの歩道側に設置され、構造体２、と固定屋根Ｒｆと水平移動屋根Ｒｍと水平面において伸縮する二種類のパンタグラフ式片持ち梁機構ＰＧ（ＰＧ１及びＰＧ２からなる。
前記構造体２は、歩道Ｒｄの左側に並設された建築物Ｂの入口に立設された柱１によって支持され、構造体２と固定屋根Ｒｆは、片持ち梁式に一体結合されて構成されている。
パンタグラフ式片持ち梁機構ＰＧは、第１のパンタグラフ式片持ち梁機構ＰＧ１と第２のンタグラフ式リンク機構ＰＧ２からなり、歩道に沿って一般には交互に設置されている。
第１のパンタグラフ式片持ち梁機構ＰＧ１は、その基端部ＰＧ１ｂと前記構造体２とはヒンジ結合され、その先端部ＰＧ１ｔと水平移動屋根Ｒｍの道路側一端部Ｒｍｒとはヒンジ結合されている。
第２のパンタグラフ式片持ち梁機構ＰＧ２は、その基端部ＰＧ２ｂと前記構造体２とはヒンジ結合され、その先端部ＰＧ２ｔと水平移動屋根Ｒｍの建物側一端部Ｒｍｒｂとはヒンジ結合されている。
水平移動屋根の道路側一端部Ｒｍｗは、ワイヤーロープＷと接続されており、構造体に設置された電動モーターによってから巻き取り、又は巻き戻されることにより、水平移動屋根Ｒｍは、水平移動する。
ある実施態様によれば、第１のパンタグラフ式片持ち梁機構の中間部ＰＧ１ｍ同士は、スプリング材Ｓで引張力を付与されている。
【００２３】
柱１は、歩道Ｒｄの左側又は右側に並設された建築物Ｂの入口に立設され、柱１の高さ寸法Ｈは、例えば、約３ｍ〜３．５ｍで、柱１の上に、構造体２が柱１と一体的に設置される。
本発明の開閉屋根装置Ｒは、歩道左側に設置された建築物Ｂの歩道側に設置され、構造体２と固定屋根Ｒｆと水平移動屋根Ｒｍと水平面において伸縮する二種類のパンタグラフ式片持ち梁機構ＰＧ（ＰＧ１、ＰＧ２）から構成されている。
前記構造体２は、歩道左側又は右側に並設された建築物Ｂの入口に立設された柱１によって支持され、構造体２と固定屋根Ｒｆは、片持ち梁式に一体結合されている。
パンタグラフ式片持ち梁機構ＰＧは、第１のパンタグラフ式片持ち梁機構ＰＧ１と第２のパンタグラフ式片持ち梁機構ＰＧ２からなり、歩道Ｒｄに沿って一般には交互に設置されている。
第１のパンタグラフ式片持ち梁機構ＰＧは、その基端部ＰＧ１ｂと前記構造体２とはヒンジ結合され、その先端部ＰＧ１ｔと水平移動屋根の道路側一端部Ｒｍｒとはヒンジ結合されている。
第２のパンタグラフ式片持ち梁機構ＰＧ２は、その基端部ＰＧ２ｂと前記構造体２とはヒンジ結合され、その先端部ＰＧ２ｔと水平移動屋根の建物側一端部Ｒｍｂとはヒンジ結合されている。
開閉屋根装置Ｒにおいて、ワイヤーロープＷを巻き取る、又は巻き戻すための電動モーターＭが、前記構造体２に装着されている。
＊＊＊＊＊＊＊
開閉屋根装置Ｒにおいて、前記構造体２は、前記立設された両側の柱１に設けられている。
＊＊＊＊＊＊＊
開閉屋根装置Ｒにおいて、前記パンタグラフ式片持ち梁機構（第１のパンタグラフ式片持ち梁機構）ＰＧ１の基端部ＰＧ１ｂ、中間部ＬＰＧ１ｍ、先端部ＬＰＧ１ｔは、ピンＰによりヒンジ構造となっている（図７参照）。
開閉屋根装置Ｒにおいて、前記パンタグラフ式片持ち梁機構（第２のパンタグラフ式片持ち梁機構）ＰＧ２には、基端部ＰＧ２ｂ、中間部ＬＰＧ２ｍ、先端部ＬＰＧ２ｔは、ピンＰによりヒンジ構造となっている（図７参照）。
＊＊＊＊＊＊＊
開閉屋根装置Ｒにおいて、前記歩道Ｒｄ左側又は右側に配設された第１のパンタグラフ式片持ち梁機構ＰＧ１の最大伸長時、水平移動屋根Ｒｍの道路側端部Ｒｍｒは、少なくとも略歩道中心線Ｃ上に到達すると共に、水平移動屋根の道路側端部同士Ｒｍｒ、Ｒｍｒ’は隙間の無いように設定されている。
＊＊＊＊＊＊＊
開閉屋根装置Ｒにおいて、スプリング材に常に作用する引張力Ｆよって、水平移動屋根Ｒｍが、道路中央Ｃ側に水平移動し、電動モーターＭを巻き取ることによって、水平移動屋根Ｒｍが、建物側に水平移動する。
＊＊＊＊＊＊＊
開閉屋根装置Ｒにおいて、前記固定屋根Ｒｆ、Ｒｆ’は、ガラス等の透明体からなることも可能である。
＊＊＊＊＊＊＊
開閉屋根装置Ｒにおいて、前記水平移動屋根Ｒｍ、又は固定屋根Ｒｆは、防水、防炎、耐熱加工されていることも可能である。水平移動屋根Ｒｍは、防炎性及び耐候性を有する素材例えば、ポリエステル繊維からなる不織布に、防炎性、撥水性、遮熱性等を付与するための有機フッ素化ポリマーで撥水加工した後、アクリル酸エステル樹脂とアルミニウム又は顔料との混合樹脂のコーティング加工等が施されている。
【００２４】
＜道路右側の開閉屋根装置について＞
本発明の開閉屋根装置について、道路左側の開閉屋根装置について以下説明する。
道路左側の開閉屋根装置について上述した内容と同じである。
ただし、道路を挟んで、左側にある本発明の構成要素等は、無印であったが、道路を挟んで、右側にある本発明の構成要素等の符号は、左側にある本発明の構成要素等の符号の最後に「’」のサフィクスを付すこととする。
また、道路右側の開閉屋根装置の説明においては、道路左側の開閉屋根装置において、「右側」とあるのを「左側」と、「左側」とあるのを「右側」と読み替えるものとする。
【００２５】
＜パンタグラフ式片持ち梁機構ＰＧについて＞
パンタグラフ式片持ち梁機構について、第１のパンタグラフ式片持ち梁機構ＰＧ１を例に採って、説明する。
第１のパンタグラフ式片持ち梁機構は、リンク梁Ｌ１１、Ｌ１２、Ｌ１３、Ｌ１４からなり、菱形形にヒンジ結合されている。第１のパンタグラフ式片持ち梁機構は、水平面上に動くように拘束されている。
リンクＬ１１とＬ１２の形状、リンクＬ１３とＬ１４の形状は、それぞれ合同である。リンク梁Ｌ１１、Ｌ１２、Ｌ１３、Ｌ１３の断面積は、建物側から歩道の中央部に向かって断面が細くなるように設計されている。パンタグラフ式片持ち梁機構の片持ち張りの特性から、最適な断面積となるように設計上考慮されている。
パンタグラフ式片持ち梁機構の基端部ＰＧ１ｂ、パンタグラフ式片持ち梁機構の中間部ＰＧ１ｍ、パンタグラフ式片持ち梁機構の先端部ＰＧ１ｔは、ピンＰでヒンジ結合されている（図７参照）。
【００２６】
第２のパンタグラフ式片持ち梁機構ＰＧ２は、第１のパンタグラフ式片持ち梁機構ＰＧ１を縮小したような構造になっている。
第２のパンタグラフ式片持ち梁機構ＰＧ２は、リンク梁Ｌ２１、Ｌ２２、Ｌ２３、Ｌ２４からなり、菱形形にヒンジ結合されている。第２のパンタグラフ式片持ち梁機構は、水平面上に動くように拘束されている。
リンクＬ２１とＬ２２の形状、リンクＬ２３とＬ２４の形状は、それぞれ合同である。リンク梁Ｌ２１、Ｌ２２、Ｌ２３、Ｌ２４の断面積は、建物側から歩道の中央部に向かって断面が細くなるように設計されている。パンタグラフ式片持ち梁機構の片持ち張りの特性から、最適な断面積となるように設計上考慮されたためである。
パンタグラフ式片持ち梁機構の基端部ＰＧ２ｂ、パンタグラフ式片持ち梁機構の中間部ＰＧ２ｍ、パンタグラフ式片持ち梁機構の先端部ＰＧ２ｔは、ピンＰでヒンジ結合されている（図７参照）。
【００２７】
次に本発明に係る、開閉屋根装置Ｒ、Ｒ’の可動態様について説明する。図１及び図２は、水平移動屋根Ｒｍ、Ｒｍ’を最大に展張して、クローズドモールとした状態で、図３及び図４は、水平移動屋根Ｒｍ、Ｒｍ’を展開又は収納している中途時の状態を示し、図５及び図６は、水平移動屋根Ｒｍ、Ｒｍ’を収納して大空間のオープンモールとした状態を示している。
クローズドモールから大空間のオープンモールとするには、先ず電動モーターＭ、Ｍ’を駆動させ、ワイヤーロープＷ、Ｗ’を巻き取るとその回転軸（図示せず）は正回転（又は逆回転）し、その回転力はドラムＤ、Ｄ’に連動するので、図３及び図４に示す状態を経て、水平移動屋根Ｒｍ、Ｒｍ’は、パンタグラフ式片持ち梁機構ＰＧ１、ＰＧ２のスプリング材Ｓ、Ｓ’の引張力Ｆ、Ｆ’に逆らって、開閉屋根装置Ｒ、Ｒ’において、前記パンタグラフ式片持ち梁機構（第１のパンタグラフ式片持ち梁機構ＰＧ１、及び第２のパンタグラフ式片持ち梁機構ＰＧ２）は、それぞれ外方に中折れすることに伴いながら徐々に、折りたたまれる。
すなわち、図３及び図４に示す状態を経て、水平移動屋根Ｒｍ、Ｒｍ’は、パンタグラフ式片持ち梁機構ＰＧ１、ＰＧ１’のスプリング材Ｓ、Ｓ’の引張力Ｆ１、Ｆ１’に逆らって、開閉屋根装置Ｒ、Ｒ’において、前記パンタグラフ式片持ち梁機構（第１のパンタグラフ式片持ち梁機構、及び第２のパンタグラフ式片持ち梁機構）は、それぞれ外方に中折れすることに伴いながら徐々に、折りたたまれて、大空間のオープンモールとなる（図５及び図６参照）。
【００２８】
大空間のオープンモールからクローズドモールとするには、電動モーターＭ、Ｍ’を逆向きに駆動させ、ワイヤーロープＷ、Ｗ’を巻き戻すとその回転軸（図示せず）は逆回転し、その回転力はドラムシャフトＤ、Ｄ’に連動するので、図３及び図４に示す状態を経て、水平移動屋根Ｒｍ、Ｒｍ’は、パンタグラフ式片持ち梁機構ＰＧ１、ＰＧ１’のスプリング材Ｓ、Ｓ’の引張力Ｆ１、Ｆ１’によって、開閉屋根装置Ｒ、Ｒ’において、前記パンタグラフ式片持ち梁機構（第１のパンタグラフ式片持ち梁機構、及び第２のパンタグラフ式片持ち梁機構）は、それぞれ外方に中折れした状態から、伸張した状態になる。
図３及び図４に示す状態を経て、水平移動屋根Ｒｍ、Ｒｍ’は、パンタグラフ式片持ち梁機構ＰＧ１、ＰＧ１’のスプリング材Ｓ、Ｓ’の引張力Ｆ、Ｆ’によって、開閉屋根装置Ｒ、Ｒ’において、前記パンタグラフ式片持ち梁機構（第１のパンタグラフ式片持ち梁機構ＰＧ１、及び第２のパンタグラフ式片持ち梁機構ＰＧ２）は、それぞれ外方に中折れした状態から、伸張した状態になり、クローズモールとなる（図１及び図２参照）。
【００２９】
大空間のオープンモールは、主として例えば、四季における春秋の快適な気候の昼間時又は各店舗の夜間における非営業時等に適し、またクローズドモールは、雨天又は日射しや紫外線等が強烈なときに形成される。
【図面の簡単な説明】
【００３０】
【図１】は、本発明に係る、開閉屋根装置Ｒにおける水平移動屋根を最大に展張した状態を示す正面図である。
【図２】は、本発明に係る、開閉屋根装置Ｒにおける水平移動屋根を最大に展張した状態を示す平面図である。
【図３】は、水平移動屋根を展開又は収納している中途時の正面図である。
【図４】は、水平移動屋根を展開又は収納している中途時の平面図である。
【図５】は、水平移動屋根を最小に収納した状態を示す正面図である。
【図６】は、水平移動屋根を最小に収納した状態を示す平面図である。
【図７】は、第１のパンタグラフ式片持ち梁機構を示す斜視図である。
【符号の説明】
【００３１】
Ｒ                            開閉屋根装置
１                            柱
２                            構造体
Ｗ                            ワイヤーロープ
ＰＧ                          パンタグラフ式片持ち梁機構
Ｌ１、Ｌ２、Ｌ３、Ｌ４        パンタグラフ式片持ち梁機構のリンク
ＰＧｂ                        パンタグラフ式片持ち梁機構の基端部
ＰＧｍ                        パンタグラフ式片持ち梁機構の中間部
ＰＧｔ                        パンタグラフ式片持ち梁機構の先端部
Ｓ                            スプリング材
Ｒｍ                          水平移動屋根
Ｒｍｒ                        水平移動屋根の道路側一端部
Ｒｍｂ                        水平移動屋根の建物側一端部
Ｒｆ                          固定屋根
Ｍ                            電動モーター
Ｄ                            ドラム
Ｐ                            ピン
Ｂ                            建築物
Ｒｄ                          歩道
Ｃ                            歩道の中心線
【図１】
2009155921.tif 000003
【図２】
2009155921.tif 000004
【図３】
2009155921.tif 000005
【図４】
2009155921.tif 000006
【図５】
2009155921.tif 000007
【図６】
2009155921.tif 000008
【図７】
2009155921.tif 000009